(57)【特許請求の範囲】
【請求項１】
屋根の勾配に沿って傾斜し、かつ上端部が互いに接合された一対の上弦材、
建物壁部の上部に設けられた天井枠に取り付けられる下弦材、
前記上弦材および下弦材によって三角形状に形成されたトラス本体の内部において前記下弦材上に立設されて前記上弦材を支持する複数の束材、
前記複数の束材どうし間に斜めに取り付けられる複数の斜材等の各部材を、前記各部材の取付位置を確定する少なくとも一つのガイド部材と、このガイド部材を両側から挟み込む２枚のガセットプレートとを備え、これら２枚のガセットプレートのうち、一方のガセットプレートに前記ガイド部材が予め固定されてなる複数の連結部材を介して連結しながら組み立てる屋根トラス部材の組立方法であって、
前記各部材の途中もしくは端部を前記複数の連結部材に取り付けて前記ガイド部材によって各部材の取付位置を確定しながら、前記各部材どうしを連結して組み立てるに際し、
前記一方のガセットプレートに前記各部材の途中もしくは端部を前記ガイド部材に沿わせて取り付けた後に、
このガイド部材に、前記２枚のガセットプレートのうちの他方のガセットプレートを合わせ、この他方のガセットプレートの全面と、前記ガイド部材および各部材とを釘打固定することを特徴とする屋根トラス部材の組立方法。
【請求項２】
請求項１に記載の屋根トラス部材の組立方法において、
前記複数の束材のうち、第１束材を前記トラス本体の頂角部と前記下弦材の中央部との間に立設するとともに、第２束材を前記下弦材の中央部と前記底角部との中間部と、前記頂角部と前記底角部との中間部との間に立設し、
前記第２束材の上端部と前記第１束材の下端部との間に前記複数の斜材を取り付けることを特徴とする屋根トラス部材の組立方法。
【請求項３】
請求項１または２に記載の屋根トラス部材の組立方法において、
前記複数の連結部材のうち、第１連結部材を前記トラス本体の底角部に取り付け、
第２連結部材を前記下弦材の中央部に取り付け、
第３連結部材を前記下弦材の中央部と前記底角部との中間部に取り付け、
第４連結部材を前記トラス本体の頂角部に取り付け、
第５連結部材を前記頂角部と前記底角部との中間部に取り付けることを特徴とする屋根トラス部材の組立方法。
【請求項４】
請求項３に記載の屋根トラス部材の組立方法において、
前記第２連結部材および第３連結部材を取り付ける下弦材の所定の位置に、予め位置決め用のマーキングをしておくことを特徴とする屋根トラス部材の組立方法。
【発明の詳細な説明】
【技術分野】
【０００１】
本発明は、屋根の勾配に沿って傾斜し、かつ建物壁部の上部に設けられた天井枠に組み付けられる屋根トラス部材の組立方法に関する。
【背景技術】
【０００２】
従来、２×４インチ等の規格化された木材で枠組を作成し、この枠組に対し、構造用合板等の面材を取り付けて建物を構築する枠組壁工法が知られている。また、前記木材を予め工場で採寸、切断および座掘り加工しておくことによって、現場での作業量を減らすことが可能な技術も知られている。
【０００３】
以上のような建物の構築方法によれば、建物や敷地条件に左右されること無く建物を構築することができるという利点がある。
ところが、このような方法で作業を行う場合は、現場に納入される木材等の建築材料の数が非常に多く、その分だけ作業手間が増えるので、工期が長くなってしまうだけでなく、正確な作業手順等を熟知した多くの熟練作業者を確保しなければならないという問題があった。
【０００４】
そこで、このような問題を解決すべく、予め工場で前記木材をパネル化しておき、このようにパネル化したものを現場でクレーンによって建て込むだけで、比較的容易に建物を構築することができるような技術が開発されている（例えば、特許文献１参照）。
【特許文献１】特開２０００−２５７１５２号公報
【発明の開示】
【発明が解決しようとする課題】
【０００５】
ところで、上記特許文献１に記載の技術においては、現場作業者にそれほど高い技能が無くとも品質が安定するということと、工期を短縮することができるという利点がある。
しかし、このように木材をパネル化したものを用いた場合は、パネル化しない場合に比して生産に係るコストが高くなるだけでなく、材料がパネル化して大きくなった分、輸送に係るコストも高くなってしまう場合があった。
【０００６】
そこで、以上のような諸問題を解決し得る技術の開発が強く望まれていた。特に、屋根部においては、例えば天井梁部材や天井根太部材、垂木部材、隅垂木部材、屋根トラス部材等の建築材料が多く用いられるので、作業の簡略化や工期の短縮等、より施工性を向上させたいという要望が強かった。
【０００７】
中でも、屋根部を支持するための主要な建築材料となる前記屋根トラス部材は、この屋根トラス部材を構成する複数の部材を正確に組み立てる必要があると同時に、作業用足場等の高所での組立作業を行う場合もあるので、より簡略に組立作業を進めることが可能な技術の開発が望まれていた。
【０００８】
本発明の課題は、建物全体の施工性について総合的に考慮しつつ、特に、屋根部の施工性を格段に向上させることができるとともに、正確、かつ簡略に屋根トラス部材を組み立てることが可能な屋根トラス部材の組立方法を提供することを目的とする。
【課題を解決するための手段】
【０００９】
請求項１に記載の発明は、例えば図１〜図９、図１３〜図１７に示すように、屋根の勾配に沿って傾斜し、かつ上端部が互いに接合された一対の上弦材２ａ、
建物壁部１０の上部に設けられた天井枠２０に取り付けられる下弦材２ｂ、
前記上弦材２ａおよび下弦材２ｂによって三角形状に形成されたトラス本体２の内部において前記下弦材２ｂ上に立設されて前記上弦材２ａを支持する複数の束材３、
前記複数の束材３どうし間に斜めに取り付けられる複数の斜材４等の各部材２ａ、２ｂ、３、４を、前記各部材２ａ、２ｂ、３、４の取付位置を確定する少なくとも一つのガイド部材Ａと、このガイド部材Ａを両側から挟み込む２枚のガセットプレートＢ、Ｃとを備え、これら２枚のガセットプレートＢ、Ｃのうち、一方のガセットプレートＢに前記ガイド部材Ａが予め固定されてなる複数の連結部材５を介して連結しながら組み立てる屋根トラス部材１の組立方法であって、
前記各部材２ａ、２ｂ、３、４の途中もしくは端部を前記複数の連結部材５に取り付けて前記ガイド部材Ａによって各部材２ａ、２ｂ、３、４の取付位置を確定しながら、前記各部材２ａ、２ｂ、３、４どうしを連結して組み立てるに際し、
前記一方のガセットプレートＢに前記各部材２ａ、２ｂ、３、４の途中もしくは端部を前記ガイド部材Ａに沿わせて取り付けた後に、
このガイド部材Ａに、前記２枚のガセットプレートＢ、Ｃのうちの他方のガセットプレートＣを合わせ、この他方のガセットプレートＣの全面と、前記ガイド部材Ａおよび各部材２ａ、２ｂ、３、４とを釘打固定することを特徴とする。
【００１０】
請求項１に記載の発明によれば、予め前記複数の連結部材５に、前記各部材２ａ、２ｂ、３、４の取付位置を確定する少なくとも一つのガイド部材Ａを取り付けておくことから、前記各部材２ａ、２ｂ、３、４の途中もしくは端部を前記複数の連結部材５に取り付けるだけで、前記ガイド部材Ａによって各部材２ａ、２ｂ、３、４の取付位置を確定することができ、前記各部材２ａ、２ｂ、３、４を正確な位置に取り付けることが可能となる。しかも、このように前記ガイド部材Ａによって前記各部材２ａ、２ｂ、３、４の取付位置を確定しながら、同時に前記各部材２ａ、２ｂ、３、４どうしを連結して組み立てることができるので、前記各部材２ａ、２ｂ、３、４を簡単に連結させることが可能となる。これによって、屋根トラス部材１の組立作業を精度良く、かつ簡略に行うことができるとともに、延いては、屋根部の施工性も格段に向上させることが可能となる。
【００１１】
また、このように各部材２ａ、２ｂ、３、４どうしを正確、かつ簡単に連結させることができるので、従来とは異なり、クレーンを用いずに前記各部材２ａ、２ｂ、３、４を現場で連結して組立作業を進めることができるので、建物や敷地条件に左右されること無く作業を行うことができるとともに、生産および輸送に係るコストを低減することが可能となる。
【００１２】
さらに、前記各部材２ａ、２ｂ、３、４の途中もしくは端部を前記複数の連結部材５に取り付けて前記ガイド部材Ａによって各部材２ａ、２ｂ、３、４の正確な取付位置を確定しながら、前記各部材２ａ、２ｂ、３、４どうしを簡単に連結して組み立てることができるので、熟練作業者でなくとも組立作業を行うことが可能となり、施工品質の安定性も格段に向上する。
【００１３】
したがって、予め前記複数の連結部材５に、前記各部材２ａ、２ｂ、３、４の取付位置を確定する少なくとも一つのガイド部材Ａを取り付けておいてから、前記各部材２ａ、２ｂ、３、４を連結していくことによって、建物全体の施工性について総合的に考慮しつつ、特に、屋根部の施工性を格段に向上させることができるとともに、正確、かつ簡略に屋根トラス部材１を組み立てることが可能となる。
また、前記２枚のガセットプレートＢ、Ｃのうち、一方のガセットプレートＢに前記ガイド部材Ａを予め固定しておき、前記一方のガセットプレートＢに前記各部材２ａ、２ｂ、３、４の途中もしくは端部を前記ガイド部材Ａに沿わせて取り付けるので、前記一方のガセットプレートＢに対して前記各部材２ａ、２ｂ、３、４を取り付けやすい。
また、前記一方のガセットプレートＢに対して前記各部材２ａ、２ｂ、３、４の途中もしくは端部を取り付けた後、他方のガセットプレートＣを前記ガイド部材Ａに固定するだけで、前記複数の連結部材５を介して前記各部材２ａ、２ｂ、３、４どうしを簡単に連結することができる。
さらに、前記一方のガセットプレートＢに対して前記各部材２ａ、２ｂ、３、４の途中もしくは端部を取り付けた後に、前記他方のガセットプレートＣを前記ガイド部材Ａに固定するので、前記複数の連結部材５と各部材２ａ、２ｂ、３、４とを寝かせたままの状態で連結することができ、屋根トラス部材１の組立作業を精度良く、かつ簡略に行なうことが可能となる。
【００１４】
請求項２に記載の発明は、例えば図６〜図８に示すように、請求項１に記載の屋根トラス部材１の組立方法において、
前記複数の束材３のうち、第１束材３ａを前記トラス本体２の頂角部２ｃと前記下弦材２ｂの中央部との間に立設するとともに、第２束材３ｂを前記下弦材２ｂの中央部と前記底角部２ｄとの中間部と、前記頂角部２ｃと前記底角部２ｄとの中間部との間に立設し、
前記第２束材３ｂの上端部と前記第１束材３ａの下端部との間に前記複数の斜材４を取り付けることを特徴とする。
【００１５】
請求項２に記載の発明によれば、前記第１束材３ａを前記トラス本体２の頂角部２ｃと前記下弦材２ｂの中央部との間に立設するとともに、第２束材３ｂを前記下弦材２ｂの中央部と前記底角部２ｄとの中間部と、前記頂角部２ｃと前記底角部２ｄとの中間部との間に立設するので、これら複数の束材３によって前記下弦材２ｂ上において前記上弦材２ａを確実に支持することができる。
しかも、前記第２束材３ｂの上端部と前記第１束材３ａの下端部との間に前記複数の斜材４を取り付けることによって、前記各部材２ａ、２ｂ、３、４にかかる上方からの荷重を分散することができるので、前記屋根トラス部材１全体の耐力構造上強固な強度を確保することができる。
【００１９】
請求項３に記載の発明は、例えば図１〜図９に示すように、請求項１または２に記載の屋根トラス部材１の組立方法において、
前記複数の連結部材５のうち、第１連結部材５１を前記トラス本体２の底角部２ｄに取り付け、
第２連結部材５２を前記下弦材２ｂの中央部に取り付け、
第３連結部材５３を前記下弦材２ｂの中央部と前記底角部２ｄとの中間部に取り付け、
第４連結部材５４を前記トラス本体２の頂角部２ｃに取り付け、
第５連結部材５５を前記頂角部２ｃと前記底角部２ｄとの中間部に取り付けることを特徴とする。
【００２０】
請求項３に記載の発明によれば、前記第１〜第５連結部材５１、５２、５３、５４、５５を所定の位置に取り付けることによって、これら複数の連結部材５と前記各部材２ａ、２ｂ、３、４とを正確、かつ簡単に連結することができるので、屋根トラス部材１の組立作業を精度良く、かつ簡略に行うことができ、延いては、屋根部の施工性を格段に向上させることが可能となる。
【００２１】
請求項４に記載の発明は、例えば図４に示すように、請求項３に記載の屋根トラス部材１の組立方法において、
前記第２連結部材５２および第３連結部材５３を取り付ける下弦材２ｂの所定の位置に、予め位置決め用のマーキング６をしておくことを特徴とする。
【００２２】
請求項４に記載の発明によれば、前記位置決め用のマーキング６に合わせて前記第２連結部材５２および第３連結部材５３を正確な位置に取り付けることができるので、これら第２連結部材５２および第３連結部材５３に合わせて前記複数の束材３および複数の斜材４も正確な位置に取り付けることが可能となる。
【発明の効果】
【００２３】
本発明によれば、予め前記複数の連結部材に、前記各部材の取付位置を確定する少なくとも一つのガイド部材を取り付けておくことから、前記各部材の途中もしくは端部を前記複数の連結部材に取り付けるだけで、前記ガイド部材によって各部材の取付位置を確定することができ、前記各部材を正確な位置に取り付けることが可能となる。しかも、このように前記ガイド部材によって前記各部材の取付位置を確定しながら、同時に前記各部材どうしを連結して組み立てることができるので、前記各部材を簡単に連結させることが可能となる。これによって、屋根トラス部材の組立作業を精度良く、かつ簡略に行うことができるとともに、延いては、屋根部の施工性も格段に向上させることが可能となる。
また、このように各部材どうしを正確、かつ簡単に連結させることができるので、従来とは異なり、クレーンを用いずに前記各部材を現場で連結して組立作業を進めることができるので、建物や敷地条件に左右されること無く作業を行うことができるとともに、生産および輸送に係るコストを低減することが可能となる。
さらに、前記各部材の途中もしくは端部を前記複数の連結部材に取り付けて前記ガイド部材によって各部材の正確な取付位置を確定しながら、前記各部材どうしを簡単に連結して組み立てることができるので、熟練作業者でなくとも組立作業を行うことが可能となり、施工品質の安定性も格段に向上する。
したがって、建物全体の施工性について総合的に考慮しつつ、特に、屋根部の施工性を格段に向上させることができるとともに、正確、かつ簡略に屋根トラス部材を組み立てることが可能となる。
【発明を実施するための最良の形態】
【００２４】
以下、図面を参照して本発明に係る屋根トラス部材１の組立方法の実施の形態について説明する。
なお、本実施の形態の屋根トラス部材１を主要な建築材料とする建物は、２×４インチの断面を有する木材、または２インチはそのままで４インチの整数倍の断面長さを有する木材を、主として釘８打ち工法によって建て、壁全体で支える構造法で構築される。
【００２５】
本実施の形態の屋根トラス部材１の組立方法は、図１〜図９に示すように、屋根の勾配に沿って傾斜し、かつ上端部が互いに接合された一対の上弦材２ａ、
建物壁部１０の上部に設けられた天井枠２０に取り付けられる下弦材２ｂ、
前記上弦材２ａおよび下弦材２ｂによって三角形状に形成されたトラス本体２の内部において前記下弦材２ｂ上に立設されて前記上弦材２ａを支持する複数の束材３、
前記複数の束材３どうし間に斜めに取り付けられる複数の斜材４等の各部材２ａ、２ｂ、３、４を、複数の連結部材５を介して連結しながら組み立てるに際し、
予め前記複数の連結部材５に、前記各部材２ａ、２ｂ、３、４の取付位置を確定する少なくとも一つのガイド部材Ａを取り付けておき、
前記各部材２ａ、２ｂ、３、４の途中もしくは端部を前記複数の連結部材５に取り付けて前記ガイド部材Ａによって各部材２ａ、２ｂ、３、４の取付位置を確定しながら、前記各部材２ａ、２ｂ、３、４どうしを連結して組み立てるものである。
【００２６】
ここで、前記壁部１０は、上下枠部材１０ａ、１０ｂと両側縦枠部材１０ｃとを組んで形成された四角枠内に複数の中間縦枠部材１０ｄを立設してなり、図１０は建物の床部（図示せず）の外周に配置された外壁部１００ａおよび他の外壁部１００ｂを示し、図１１は前記床部上に複数の部屋を形成するようにして配置された内壁部１０１を示している。
【００２７】
また、隣接する前記壁部１０どうしの一方の上枠部材１０ａ上面から他方の上枠部材１０ａ上面にわたって頭つなぎ部材１０ｅを取り付けるようにする。これによって、前記隣接する壁部１０どうしを強固に連結固定することができるので、前記壁部１０の設置状態を向上させることが可能となっている。
なお、前記頭つなぎ部材１０ｅの上面には、複数のガイド部材１０ｆを取り付けておき、前記壁部１０の上部に前記天井枠２０を形成しやすくしておく。
【００２８】
前記天井枠２０は、図１２に示すように、前記壁部１０のうち、対向する外壁部１００ａどうし間に複数の天井梁部材２０ａを架設するとともに、これら複数の天井梁部材２０ａと直交する複数の補助天井梁部材２０ｂを前記複数の天井梁部材２０ａの途中から前記外壁部１００ａと直交する他の外壁部１００ｂに架設する。
その後、前記複数の天井梁部材２０ａと平行する複数の第１天井根太部材２０ｃを前記対向する外壁部１００ａどうし間に架設し、前記複数の補助天井梁部材２０ｂと平行する複数の第２天井根太部材２０ｄを前記複数の天井梁部材２０ａの途中から前記他の外壁部１００ｂに架設し、前記複数の補助天井梁部材２０ｂと直交する複数の第３天井根太部材２０ｅを前記複数の補助天井梁部材２０ｂの途中から前記外壁部１００ａに架設して形成するものである。
【００２９】
また、前記壁部１０の上面には、予め、上述した複数のガイド部材１０ｆを前記複数の天井梁部材２０ａと、前記複数の補助天井梁部材２０ｂと、前記第１〜第３天井根太部材２０ｃ、２０ｄ、２０ｅとのそれぞれの端部が嵌まり込む間隔で壁部１０の長さ方向に取り付けておくようにする。
【００３０】
すなわち、このように前記壁部１０の上面に、複数のガイド部材１０ｆを取り付けておくことことによって、前記それぞれの端部を、前記複数のガイド部材１０ｆ、１０ｆ間に嵌め込むだけで、前記複数の天井梁部材２０ａと、前記複数の補助天井梁部材２０ｂと、前記第１〜第３天井根太部材２０ｃ、２０ｄ、２０ｅとを正確な位置に取り付けることができるようになっている。
したがって、これら複数の天井梁部材２０ａ、補助天井梁部材２０ｂおよび第１〜第３天井根太部材２０ｃ、２０ｄ、２０ｅの取り付け精度を格段に向上させることが可能となっている。
【００３１】
以上のような天井枠２０によれば、前記壁部１０の上部に前記天井梁部材２０ａおよび補助天井梁部材２０ｂを組み、これら天井梁部材２０ａおよび補助天井梁部材２０ｂから前記外壁部１００ａに前記第１〜第３天井根太部材２０ｃ、２０ｄ、２０ｅを縦横に架け渡すようにするので、前記天井枠２０を強固に組むことが可能となっている。
しかも、従来とは異なり、前記天井梁部材２０ａや補助天井梁部材２０ｂ、各天井根太部材等の建築材料をパネル化せずに施工に用いるので、建物や敷地条件に左右されること無く作業を行うことができるとともに、生産および輸送に係るコストを低減することが可能となっている。
【００３２】
一方、前記上弦材２ａは、図５および図６に示すように、屋根の勾配に沿って傾斜し、かつ上端部が互いに接合された一対の部材であり、上端部が互いに接合された状態で屋根の勾配に沿うようになっている。また、この上弦材２ａの下端部は、屋根の軒先部分に到達するように延出しており、図示はしないが、その下端面に鼻隠部材が取り付けられるようになっている。
【００３３】
前記下弦材２ｂは、前記建物壁部１０の上部に設けられた天井枠２０に取り付けられるものであり、前記複数の天井梁部材２０ａに隣接して、前記対向する外壁部１００ａどうし間に架設されており、これら対向する一方の外壁部１００ａから他方の外壁部１００ａに達する長さに形成されている。
この時、図２および図３に示すように、構築すべき建物の大きさによって下弦材２ｂを分割しなければならない場合がある。すなわち、この下弦材２ｂを輸送する際に、輸送車両の荷台の長さを越える長さのものが分割されるようになっている。このような場合は、分割した一方の下弦材２ｂと他方の下弦材２ｂとの接合部位に添木部材７を取り付けて、この接合部位の補強を行うようにしている。
【００３４】
なお、前記上弦材２ａおよび下弦材２ｂによって形成された三角形状体を、本実施の形態ではトラス本体２と称し、屋根トラス部材１の外枠部分を構成するものとしている。また、このトラス本体２の３つの角部について、屋根の棟木部分に位置する角部を頂角部２ｃと称し、その他の２つの角部を底角部２ｄと称する。
【００３５】
前記複数の束材３は、図６〜図８に示すように、前記トラス本体２の内部において前記下弦材２ｂ上に立設されて前記上弦材２ａを支持するものである。
また、これら複数の束材３は、前記トラス本体２の頂角部２ｃと前記下弦材２ｂの中央部との間に立設される第１束材３ａと、前記下弦材２ｂの中央部と前記底角部２ｄとの中間部と、前記頂角部２ｃと前記底角部２ｄとの中間部との間に立設される第２束材３ｂとを示している。
【００３６】
このように、前記第１束材３ａを前記トラス本体２の頂角部２ｃと前記下弦材２ｂの中央部との間に立設するとともに、第２束材３ｂを前記下弦材２ｂの中央部と前記底角部２ｄとの中間部と、前記頂角部２ｃと前記底角部２ｄとの中間部との間に立設するので、これら複数の束材３によって前記下弦材２ｂ上において前記上弦材２ａを確実に支持することができる。
【００３７】
前記複数の斜材４は、図８に示すように、前記第２束材３ｂの上端部と前記第１束材３ａの下端部との間に斜めに取り付けられるものである。
【００３８】
このように、前記第２束材３ｂの上端部と前記第１束材３ａの下端部との間に前記複数の斜材４を取り付けることによって、前記各部材２ａ、２ｂ、３、４にかかる上方からの荷重を分散することができるので、前記屋根トラス部材１全体の耐力構造上強固な強度を確保することができる。
【００３９】
前記複数の連結部材５は、図８および図９、図１３〜図１７に示すように、前記各部材２ａ、２ｂ、３、４の取付位置を確定する少なくとも一つのガイド部材Ａと、このガイド部材Ａを両側から挟み込む２枚のガセットプレートＢ、Ｃとを備えている。
そして、前記２枚のガセットプレートＢ、Ｃのうち、一方のガセットプレートＢに前記ガイド部材Ａを予め固定しておき、前記一方のガセットプレートＢに前記各部材２ａ、２ｂ、３、４の途中もしくは端部を前記ガイド部材Ａに沿わせて取り付けた後に、他方のガセットプレートＣを前記ガイド部材Ａに固定するようになっている。
【００４０】
このような連結部材によれば、前記２枚のガセットプレートＢ、Ｃのうち、一方のガセットプレートＢに前記ガイド部材Ａを予め固定しておき、前記一方のガセットプレートＢに前記各部材２ａ、２ｂ、３、４の途中もしくは端部を前記ガイド部材Ａに沿わせて取り付けるので、前記一方のガセットプレートＢに対して前記各部材２ａ、２ｂ、３、４を取り付けやすい。
また、前記一方のガセットプレートＢに対して前記各部材２ａ、２ｂ、３、４の途中もしくは端部を取り付けた後、他方のガセットプレートＣを前記ガイド部材Ａに固定するだけで、前記複数の連結部材５を介して前記各部材２ａ、２ｂ、３、４どうしを簡単に連結することができる。
【００４１】
さらに、前記一方のガセットプレートＢに対して前記各部材２ａ、２ｂ、３、４の途中もしくは端部を取り付けた後に、前記他方のガセットプレートＣを前記ガイド部材Ａに固定するので、前記複数の連結部材５と各部材２ａ、２ｂ、３、４とを寝かせたままの状態で連結することができ、屋根トラス部材１の組立作業を精度良く、かつ簡略に行なうことが可能となっている。
【００４２】
一方、図１〜図９に示すように、前記複数の連結部材５のうち、第１連結部材５１を前記トラス本体２の底角部２ｄに取り付け、第２連結部材５２を前記下弦材２ｂの中央部に取り付け、第３連結部材５３を前記下弦材２ｂの中央部と前記底角部２ｄとの中間部に取り付け、第４連結部材５４を前記トラス本体２の頂角部２ｃに取り付け、第５連結部材５５を前記頂角部２ｃと前記底角部２ｄとの中間部に取り付けるようになっている。
【００４３】
このように前記第１〜第５連結部材５１、５２、５３、５４、５５を所定の位置に取り付けることによって、これら複数の連結部材５と前記各部材２ａ、２ｂ、３、４とを正確、かつ簡単に連結することができるので、屋根トラス部材１の組立作業を精度良く、かつ簡略に行うことができ、延いては、屋根部の施工性を格段に向上させることが可能となっている。
【００４４】
また、これら複数の連結部材５の中で、前記第２連結部材５２および第３連結部材５３を取り付ける下弦材２ｂの所定の位置には、図４に示すように、予め位置決め用のマーキング６をしておくようにする。
【００４５】
このように前記位置決め用のマーキング６に合わせて前記第２連結部材５２および第３連結部材５３を正確な位置に取り付けることができるので、これら第２連結部材５２および第３連結部材５３に合わせて前記複数の束材３および複数の斜材４も正確な位置に取り付けることが可能となっている。
【００４６】
次に、本実施の形態の屋根トラス部材１の組立方法を、さらに詳細に説明する。
まず、図１３に示すように、前記トラス本体２の底角部２ｄに取り付ける第１連結部材５１を、一方のガセットプレート５１Ｂに三角形状のガイド部材５１Ａを固定して製作しておくようにする。
この時、前記ガイド部材５１Ａの傾斜部分に前記上弦材２ａの途中が沿うようになっており、水平部分に前記下弦材２ｂの端部が沿うようになっている。また、このガイド部材５１Ａの傾斜角度は構築する建物の屋根の勾配によって変動させて製作する。
【００４７】
また、図１４に示すように、前記下弦材２ｂの中央部に取り付ける第２連結部材５２を、一方のガセットプレート５２Ｂに複数のガイド部材５２Ａを固定して製作しておくようにする。
この時、前記下弦材２ｂの途中と第１束材３ａの下端部、複数の斜材４の下端部とを同時に案内可能であるように前記複数のガイド部材５２Ａを形成しておくようにする。
【００４８】
さらに、図１５に示すように、前記下弦材２ｂの中央部と前記底角部２ｄとの中間部に取り付ける第３連結部材５３を、一方のガセットプレート５３Ｂに２つのガイド部材５３Ａを固定して製作しておくようにする。
この時、前記ガイド部材５３Ａの水平部分に前記下弦材２ｂの途中が沿うようになっており、垂直部分に前記第２束材３ｂの端部が沿うようになっている。
【００４９】
そして、図１６に示すように、前記トラス本体２の頂角部２ｃに取り付ける第４連結部材５４を、一方のガセットプレート５４Ｂに２つのガイド部材５４Ａを固定して製作しておくようにする。
この時、前記ガイド部材５４Ａの傾斜部分に前記上弦材２ａの互いに接合された上端部が沿うようになっているとともに、前記ガイド部材５４Ａの垂直部分に前記第１束材３ａの上端部が沿うようになっている。
【００５０】
また、図１７に示すように、前記頂角部２ｃと前記底角部２ｄとの中間部に取り付ける第５連結部材５５を、一方のガセットプレート５５Ｂに複数のガイド部材５５Ａを固定して製作しておくようにする。
この時、前記上弦材２ａの途中と第２束材３ｂの上端部、複数の斜材４の上端部とを同時に案内可能であるように前記複数のガイド部材５５Ａを形成しておくようにする。
【００５１】
なお、前記一方のガセットプレート５１Ｂ、５２Ｂ、５３Ｂ、５４Ｂ、５５Ｂにガイド部材５１Ａ、５２Ａ、５３Ａ、５４Ａ、５５Ａを固定する段階では、前記他方のガセットプレート５１Ｃ、５２Ｃ、５３Ｃ、５４Ｃ、５５Ｃは施工現場の邪魔にならない場所で保管しておき、必要な段階になったら用いるようにする。
【００５２】
次に、図２に示すように、前記第１連結部材５１に前記下弦材２ｂの両端部を固定する。この時、前記下弦材２ｂの両端部は、前記ガイド部材５１Ａの傾斜部分と同様の傾斜を備えた状態となっている。
また、上述したように、輸送の都合上、前記下弦材２ｂを分割しなければならない際は、図２および図３に示すように、前記添木部材７を一方および他方の下弦材２ｂの接続部分に取り付けて、接続部分の補強をしておくようにする。
【００５３】
続いて、図４に示すように、予め位置決め用のマーキング６がしてある前記下弦材２ｂの所定の位置に前記第２連結部材５２および第３連結部材５３を取り付けるようにする。
なお、この位置決め用のマーキング６は、予め工場等で施しておくようにすることによって、現場での作業を簡略化することができるので好ましい。
【００５４】
次に、図５に示すように、前記上弦材２ａの上端部を前記第４連結部材５４に固定する。この時、図中５４ａ、５４ｂ、５４ｃで示す前記第４連結部材５４の三点を基準にして前記下弦材２ｂの上端部を固定することによって、この下弦材２ｂの上端部を正確な位置に取り付けることができるので望ましい。
【００５５】
そして、図６に示すように、前記第１連結部材５１に前記上弦材２ａを固定するとともに、前記第２連結部材５２および第４連結部材５４に前記第１束材３ａを固定する。
この時、前記複数の連結部材５と各部材２ａ、２ｂ、３、４との連結箇所に釘８等で仮止めを行って、前記複数の連結部材５および各部材２ａ、２ｂ、３、４の取付状態を確認しておくようにする。
【００５６】
次いで、図７に示すように、前記第３連結部材５３に第２束材３ｂの下端部を取り付け、その後、図８に示すように、前記第２束材３ｂの上端部の位置に前記第５連結部材５５を取り付けるようにする。
また、前記第５連結部材５５を取り付けた後は、前記第２連結部材５２と第５連結部材５５との間に、前記複数の斜材４を取り付けるようにする。
この時、前記複数の連結部材５と各部材２ａ、２ｂ、３、４との連結箇所に釘８等で仮止めを行って、前記複数の連結部材５および各部材２ａ、２ｂ、３、４の取付状態を確認しておくようにする。
【００５７】
次に、図９に示すように、前記複数の連結部材５と各部材２ａ、２ｂ、３、４との連結部位の複数のガイド部材Ａに、前記各連結部材５の他方のガセットプレートＣを合わせて固定する。
この時、前記他方のガセットプレートＣの全面と、前記複数のガイド部材Ａおよび前記各部材２ａ、２ｂ、３、４とを釘８打等で強固に固定することによって、前記屋根トラス部材１全体の耐力構造上強固な強度を確保することができるようになっている。
【００５８】
なお、図１に示すように、前記第２連結部材５２の表面には、屋根の隅棟部に沿って取り付けられる隅垂木部材の下端部を受ける隅垂木受け部材９が取り付けられる。さらに、図示はしないが、この隅垂木受け部材９の上部に、前記隅垂木部材の取付位置を確定する隅垂木ガイド溝部を設けたり、前記第４連結部材５４を挟んだ隅垂木ガイド溝部の裏面の位置に、前記上弦材２ａの頂部に取り付けられる棟木部材を受けるための棟木受け部材が設けられたりするようになっている。
【００５９】
また、前記下弦材２ｂを前記天井枠２０を構成する複数の天井梁部材２０ａに沿って取り付けるので、以上のようにして組み立てた屋根トラス部材１も平面視において前記天井梁部材２０ａに沿って取り付けられた状態となる。
【００６０】
さらに、以上のような屋根トラス部材１の組立作業は、例えば、壁部１０を設置する前の段階の床面で行ったり、前記天井枠２０上部に作業床を設けて行ったり等、前記屋根トラス部材１を組み立てるための十分な場所を確保できるところで行うことが望ましい。
【００６１】
以上のような本実施の形態の屋根トラス部材１の組立方法によれば、予め前記複数の連結部材５に、前記各部材２ａ、２ｂ、３、４の取付位置を確定する少なくとも一つのガイド部材Ａを取り付けておくことから、前記各部材２ａ、２ｂ、３、４の途中もしくは端部を前記複数の連結部材５に取り付けるだけで、前記ガイド部材Ａによって各部材２ａ、２ｂ、３、４の取付位置を確定することができ、前記各部材２ａ、２ｂ、３、４を正確な位置に取り付けることが可能となる。しかも、このように前記ガイド部材Ａによって前記各部材２ａ、２ｂ、３、４の取付位置を確定しながら、同時に前記各部材２ａ、２ｂ、３、４どうしを連結して組み立てることができるので、前記各部材２ａ、２ｂ、３、４を簡単に連結させることが可能となる。これによって、屋根トラス部材１の組立作業を精度良く、かつ簡略に行うことができるとともに、延いては、屋根部の施工性も格段に向上させることが可能となる。
また、このように各部材２ａ、２ｂ、３、４どうしを正確、かつ簡単に連結させることができるので、従来とは異なり、クレーンを用いずに前記各部材２ａ、２ｂ、３、４を現場で連結して組立作業を進めることができるので、建物や敷地条件に左右されること無く作業を行うことができるとともに、生産および輸送に係るコストを低減することが可能となる。
さらに、前記各部材２ａ、２ｂ、３、４の途中もしくは端部を前記複数の連結部材５に取り付けて前記ガイド部材Ａによって各部材２ａ、２ｂ、３、４の正確な取付位置を確定しながら、前記各部材２ａ、２ｂ、３、４どうしを簡単に連結して組み立てることができるので、熟練作業者でなくとも組立作業を行うことが可能となり、施工品質の安定性も格段に向上する。
したがって、建物全体の施工性について総合的に考慮しつつ、特に、屋根部の施工性を格段に向上させることができるとともに、正確、かつ簡略に屋根トラス部材１を組み立てることが可能となる。
【図面の簡単な説明】
【００６２】
【図１】屋根トラス部材を示す正面図である。
【図２】下弦材の端部を第１連結部材に取り付けたことを示す正面図である。
【図３】一方および他方の下弦材を添木部材で接続したことを示す正面図である。
【図４】第２および第３連結部材を下弦材の所定の位置に取り付けたことを示す正面図である。
【図５】上弦材の上端部を第４連結部材に取り付けたこと示す正面図である。
【図６】トラス本体の内部に第１束材を取り付けたことを示す正面図である。
【図７】トラス本体の内部に第２束材を取り付けたことを示す正面図である。
【図８】第２束材の上端部を第５連結部材に取り付けたことを示す正面図である。
【図９】他方のガセットプレートをガイド部材に固定したことを示す正面図である。
【図１０】外壁部を示す正面図である。
【図１１】内壁部を示す正面図である。
【図１２】天井枠を示す平面図である。
【図１３】第１連結部材を示す斜視図である。
【図１４】第２連結部材を示す斜視図である。
【図１５】第３連結部材を示す斜視図である。
【図１６】第４連結部材を示す斜視図である。
【図１７】第５連結部材を示す斜視図である。
【符号の説明】
【００６３】
１  屋根トラス部材
２ａ  上弦材
２ｂ  下弦材
３ａ  第１束材
３ｂ  第２束材
４  斜材
５  連結部材
５１  第１連結部材
５２  第２連結部材
５３  第３連結部材
５４  第４連結部材
５５  第５連結部材
Ａ  ガイド部材
Ｂ  ガセットプレート
Ｃ  ガセットプレート
【図１】
0004772428.tif 000002
【図２】
0004772428.tif 000003
【図３】
0004772428.tif 000004
【図４】
0004772428.tif 000005
【図５】
0004772428.tif 000006
【図６】
0004772428.tif 000007
【図７】
0004772428.tif 000008
【図８】
0004772428.tif 000009
【図９】
0004772428.tif 000010
【図１０】
0004772428.tif 000011
【図１１】
0004772428.tif 000012
【図１２】
0004772428.tif 000013
【図１３】
0004772428.tif 000014
【図１４】
0004772428.tif 000015
【図１５】
0004772428.tif 000016
【図１６】
0004772428.tif 000017
【図１７】
0004772428.tif 000018